(57)【要約】【課題】太陽熱集熱器の受光面の面積を増大させることなく、曇天時の集熱量を増大させることができる太陽熱集熱器を提供する。【解決手段】受光面６を形成するガラス部材を、前側に位置する第１のガラス部材４と後側に位置する第２のガラス部材５とによって構成する。これらの第１、第２のガラス部材４，５を、前方の全方位からの光を集光するレンズ１１とする。これらの第１、第２のガラス部材４，５の間に断熱部１７（隙間Ｓ）を形成した。【選択図】  図１
2009264670.tif 000002
【特許請求の範囲】
【請求項１】
受光面を形成するガラス部材と、
前記ガラス部材の後側に設けられ、水または熱媒を流す流路が形成された集熱部材と、
前記集熱部材を収容する筐体とを備えた太陽熱集熱器において、
前記ガラス部材は、前側に位置する第１のガラス部材と後側に位置する第２のガラス部材とによって構成され、
これらの第１、第２のガラス部材は、前方の全方位からの光を集光するレンズを構成し、
これらの第１、第２のガラス部材の間には断熱部が形成されていることを特徴とする太陽熱集熱器。
【請求項２】
請求項１記載の太陽熱集熱器において、前記レンズは魚眼レンズであることを特徴とする太陽熱集熱器。
【請求項３】
請求項２記載の太陽熱集熱器において、第１のガラス部材と第２のガラス部材とには、配列状に並ぶ多数の魚眼レンズが形成されていることを特徴とする太陽熱集熱器。
【請求項４】
請求項１記載の太陽熱集熱器において、前記レンズは、前記受光面と平行な第１の方向から見て断面形状が魚眼レンズ状に形成され、かつ前記受光面と平行な方向であって前記第１の方向とは直交する方向から見て直線状に形成されたシリンドリカルレンズ状を呈し、
前記第１のガラス部材と第２のガラス部材とには、複数の前記シリンドリカルレンズ状のレンズが前記第２の方向に並べて形成されていることを特徴とする太陽熱集熱器。
【請求項５】
請求項１ないし請求項４のうちいずれか一つの太陽熱集熱器において、前記断熱部は、前記第１のガラス部材と前記第２のガラス部材との間に形成された減圧空間によって構成されていることを特徴とする太陽熱集熱器。
【請求項６】
請求項１ないし請求項４のうちいずれか一つの太陽熱集熱器において、前記断熱部は、前記第１のガラス部材と前記第２のガラス部材との間に充填されたシリカエアロゲルによって構成されていることを特徴とする太陽熱集熱器。
【請求項７】
請求項１ないし請求項６のうちいずれか一つの太陽熱集熱器を備えた太陽熱集熱システムであって、前記太陽熱集熱器によって加熱された水または熱媒を貯留する貯湯槽と、
この貯湯槽にポンプを介して接続され、貯湯槽との間で水または熱媒が循環する放熱器と、
前記貯湯槽内の水または熱媒の温度が所定温度を上回ったときに前記ポンプを作動させて水または熱媒を前記貯湯槽と前記放熱器との間で循環させる制御装置とを備えていることを特徴とする太陽熱集熱システム。
【発明の詳細な説明】
【技術分野】
【０００１】
本発明は、太陽光を利用して温水等を得る太陽熱集熱器およびこの太陽熱集熱器を用いた太陽熱集熱システムに関するものである。
【背景技術】
【０００２】
近年、人間活動に伴う二酸化炭素の排出量が増加し、その結果、地球温暖化の問題が生じている。この問題を解決するためには、太陽光の熱（以下、単に太陽熱という）を有効に利用し、化石燃料の使用を可及的少なく抑えることが重要である。従来、太陽熱を利用して省エネルギーを図るものとして太陽熱集熱器がある。
【０００３】
従来の一般的な太陽熱集熱器は、受光面が太陽を指向するような状態で住宅などの屋根の上に設置され、太陽光の熱によって水や熱媒を加温する構成が採られている。この種の太陽熱集熱器としては、いわゆる熱箱の内部に水を貯留させて太陽熱で昇温させる汲み置き式のものや、前記熱箱内に設けた集熱部材の液体通路を地上の貯湯槽に接続し、前記集熱部材と貯湯槽との間で水や熱媒を循環させる循環式のものなどがある。前記熱媒を使用する場合は、貯留槽内に熱交換器を設け、この熱交換器によって熱媒の熱で水を加温している。このように太陽光によって加温された水（湯）は、給湯または床暖房などに使用されている。
【０００４】
従来の太陽熱集熱器に用いられている多くの前記熱箱は、上方に向けて開口する筐体と、この筐体の開口部分を閉塞する板ガラスとを備えている。前記熱箱の内部には、太陽熱を熱媒に効率よく伝達することができるように、いわゆる真空二重ガラス管構造の集熱部材が設けられることもある。このような「太陽熱の利用技術」については、非特許文献１に詳細に記載されている。
【０００５】
一方、断熱性が高い従来のガラス板としては、非特許文献２に記載されている真空断熱ガラスがあり、断熱材としては、後述する真空断熱材がある。
非特許文献２に記載されている真空断熱ガラスは、近年の省エネルギーや地球温暖化の対策を図るために住宅の断熱性を高くするという要請に応えて製造されたものである。
【０００６】
住宅においては、特に窓ガラスからの熱伝導が大きいことが知られており、この真空断熱ガラスを用いることによって、窓ガラス部分における断熱性能が向上する。
この真空断熱ガラスは、二枚の板ガラスをこれら両ガラス間にマイクロスペーサを介在させて隙間が形成されるように重ね、周囲を封止して前記隙間内を高真空状態としたものである。
【０００７】
真空断熱材は、冷蔵庫や電気ポットなどに使用されているものが知られている。この種の真空断熱材は、多孔質の粉末やグラスウールなどの心材をラミネートフィルムで被覆してその内部を真空減圧して封止したものである。
【０００８】
ところで、写真カメラ用のレンズとして、たとえば非特許文献３に記載されている魚眼レンズがある。魚眼レンズは、半球の物体面を平面に写像する特殊なレンズである。従来の魚眼レンズのうち、正射影魚眼レンズ、等立体角射影魚眼レンズ、等距離射影魚眼レンズなどは、カメラ用などに一般に販売されている。
【非特許文献１】http://www.jpo.go.jp/shiryou/s_sonota/map/kikai12/frame.htm
【非特許文献２】皆合哲夫「真空ガラス」セラミックス Vol.42(2007)No.9,pp.646-649.
【非特許文献３】中川治平著「レンズ設計工学」東海大学出版会(1986) pp.123-128.
【発明の開示】
【発明が解決しようとする課題】
【０００９】
太陽熱集熱器によって太陽熱を集熱してエネルギーを得るに当たっては、日射量が多いことが重要である。夏期の晴天時は１０００Ｗ／ｍ2 を越える直達日射量が得られる一方、冬の曇天時には、３０Ｗ／ｍ2 程度の散乱日射量しか得ることができない。このように、夏の晴天時の日射量は、冬の曇天時の日射量の３０倍以上である。
【００１０】
このような不安定なエネルギー源である太陽熱を太陽熱集熱器によって集めて有効に利用するためには、曇天日に全天の雲下面から地上に届く散乱日射を効率よく収集できるようにすることが必要である。
しかし、従来の太陽熱集熱器は、直達日射光の収集のみを考慮した設計になっているものが多く、曇天日に効率よく集熱することはできないという問題があった。
【００１１】
また、従来の太陽熱集熱器は、住宅の屋根に載せるという設置上の制約を受けることから、受光面を面積が４〜６ｍ2 程度になるように狭く形成しなければならない。このような狭い受光面では、冬期の曇天日には水を十分に昇温させることはできない。水の温度（湯温）がたとえば給湯に必要な温度に達しない場合は、補助熱源によって水を加熱しなければならない。この補助熱源は、化石燃料を燃焼させた熱や電気ヒータの熱によって水を加熱するものであるから、この補助熱源を使用するということは、化石燃料の使用を抑制するという本来の目的とは相反することになる。なお、太陽集熱器の集熱量を増大させるに当たって、受光面の面積を大きくすることは、コストアップになるために避けなければならない。
【００１２】
本発明はこのような問題を解消するためになされたもので、太陽熱集熱器の受光面の面積を増大させることなく、曇天時の集熱量を増大させることができる太陽熱集熱器および太陽熱集熱システムを提供することを目的とする。
【課題を解決するための手段】
【００１３】
この目的を達成するために、本発明に係る太陽熱集熱器は、受光面を形成するガラス部材と、前記ガラス部材の後側に設けられ、水または熱媒を流す流路が形成された集熱部材と、前記集熱部材を収容する筐体とを備えた太陽熱集熱器において、前記ガラス部材を、前側に位置する第１のガラス部材と後側に位置する第２のガラス部材とによって構成し、これらの第１、第２のガラス部材を、前方の全方位からの光を集光するレンズとし、これらの第１、第２のガラス部材の間に断熱部を形成したものである。
【００１４】
本発明は、前記発明において、前記レンズを魚眼レンズとしたものである。
【００１５】
本発明は、前記発明において、第１のガラス部材と第２のガラス部材とに、配列状に並ぶ多数の魚眼レンズを形成したものである。
【００１６】
本発明は、前記発明において、前記レンズを、前記受光面と平行な第１の方向から見て断面形状が魚眼レンズ状であって、かつ前記受光面と平行な方向であって前記第１の方向とは直交する第２の方向から見て直線状にシリンドリカルレンズ状を呈するように形成し、前記第１のガラス部材と第２のガラス部材とに、複数の前記シリンドリカルレンズ状のレンズを前記第２の方向に並べて形成したものである。
【００１７】
本発明は、前記発明において、前記断熱部を、前記第１のガラス部材と前記第２のガラス部材との間に形成された減圧空間によって構成したものである。
【００１８】
本発明は、前記発明において、前記断熱部を、前記第１のガラス部材と前記第２のガラス部材との間に充填されたシリカエアロゲルによって構成したものである。
【００１９】
本発明は、前記発明に係る太陽熱集熱器を備えた太陽熱集熱システムであって、前記太陽熱集熱器によって加熱された水または熱媒を貯留する貯湯槽と、この貯湯槽にポンプを介して接続され、貯湯槽との間で水または熱媒が循環する放熱器と、前記貯湯槽内の水または熱媒の温度が所定温度を上回ったときに前記ポンプを作動させて水または熱媒を前記貯湯槽と前記放熱器との間で循環させる制御装置とを備えているものである。
【発明の効果】
【００２０】
本発明によれば、曇天日の雲下面からの散乱日射光を第１、第２のガラス部材からなるレンズによって集めて集熱部材に導くことができる。また、第１のガラス部材と第２のガラス部材との間に断熱部が形成されているから、集熱部材の熱が受光面から大気中に放散することを防ぐことができる。
【００２１】
したがって、本発明によれば、受光面の面積を増大させずにコスト増加を抑えながら、曇天時の集熱量が増大する太陽熱集熱器を提供することができる。この結果、本発明に係る太陽熱集熱器を使用することにより、冬期の集熱量不足が解消されるから、年間を通じてより有効に太陽エネルギーを活用し、化石燃料の使用量をより一層減少させることが可能になる。
【００２２】
第１、第２のガラス部材によって構成されるレンズを魚眼レンズとした他の発明によれば、本発明に係る太陽熱集熱器を魚眼レンズが真上を指向するようにたとえば家屋の屋根に取付けることによって、散乱日射光を天頂角２π以内で集光することができる。したがって、この発明によれば、魚眼レンズによって散乱日射光を効率よく集光し、曇天時の集熱量が増大する太陽熱集熱器を提供することができる。
【００２３】
第１のガラス部材と第２のガラス部材とに配列状に多数の魚眼レンズを形成した他の発明によれば、散乱日射光が魚眼レンズ毎に集光されるから、筐体内の広い範囲において集熱部材に太陽熱を吸収させることができる。したがって、この発明によれば、魚眼レンズによって集光した散乱日射光を効率よく集熱部材に吸収させることができるから、曇天時の集熱量がより一層増大する太陽熱集熱器を提供することができる。
【００２４】
複数のシリンドリカル状のレンズを備えた他の発明によれば、シリンドリカル状のレンズ毎に散乱日射光が集光されるから、筐体内の広い範囲において集熱部材に太陽熱を吸収させることができる。したがって、この発明によれば、シリンドリカル状のレンズによって集光した散乱日射光を効率よく集熱部材に吸収させることができるから、曇天時の集熱量がより一層増大する太陽熱集熱器を提供することができる。
【００２５】
減圧空間によって断熱部が構成された他の発明によれば、断熱部によって太陽光が遮られることはないから、太陽光を集熱部材に効率よく当てることができる。したがって、散乱日射光の熱を無駄なく集熱部材に当てて集熱することが可能な太陽熱集熱器を提供することができる。
【００２６】
シリカエアロゲルによって断熱部が構成された他の発明によれば、減圧空間によって断熱部を構成する場合に較べて第１、第２のガラス部材間を減圧する必要がない。したがって、この発明によれば、断熱部を容易に実現することが可能な太陽熱集熱器を提供することができる。
【００２７】
太陽熱集熱器、貯湯槽および放熱器を備えた発明によれば、たとえば夏期に直達日射光を多く受光した場合など、貯湯槽内の水または熱媒の温度が過度に上昇すると、水または熱媒が放熱器を流れることにより冷却される。このため、冬期の曇天日に十分な集熱量が得られるように太陽熱集熱器を形成しているにもかかわらず、夏期などで集熱量が過度に多くなったとしても水または熱媒の温度を所定の温度に保つことができる。
したがって、年間を通じて水または熱媒の温度が安定する太陽熱集熱システムを提供することができる。
【発明を実施するための最良の形態】
【００２８】
本発明に係る太陽熱集熱器の基本的な構成を図１および図２によって説明する。
図１に示す太陽熱集熱器１は、住宅（図示せず）等の屋根上に設置して水や熱媒を太陽熱によって昇温させるためのもので、図示していない貯湯槽やその他の給湯設備などに接続して使用する。
【００２９】
この太陽熱集熱器１は、図１に示すように、上方（前方）に向けて開口する箱状に形成された筐体２と、この筐体２内に設けられた集熱部材３と、前記筐体２の開口部分を閉塞する第１、第２のガラス部材４，５などによって構成されている。
本発明は、太陽熱集熱器１における太陽光が入射される受光面６の構造に関するものであるから、後述する筐体２や集熱部材３などの部材は、図示した形状、構造に限定されるものではない。また、本明細書においては、太陽熱集熱器１の受光面６が指向する方向（上方）を便宜上前方といい、また、太陽熱集熱器１の上部を便宜上前部という。
【００３０】
前記筐体２は、４枚の側壁２ａと底壁２ｂとによって箱状に形成されている。これらの壁２ａ，２ｂは、ステンレス鋼などの金属板によって二重壁構造となるように形成されている。この二重壁部分の内部には、真空断熱材７が封入されている。
この真空断熱材７は、従来、冷蔵庫や電気ポットなどに用いられているものと同じものである。この真空断熱材７は、多孔質の粉末やグラスウールなどの心材をラミネートフィルムで被覆し、その内部を真空減圧して封止することによって形成されている。
【００３１】
前記集熱部材３は、太陽熱を水や熱媒に伝達するためのもので、内部を流体通路８とした銅パイプによって形成されている。この集熱部材３は、前記筐体２に図示していない支持用ステーなどを介して支持されている。
この集熱部材３内に形成されている流体通路８は、筐体２を貫通するパイプ（図示せず）によって、貯湯槽や他の給湯設備に接続されている。
【００３２】
集熱部材３は、図１に示したように銅パイプによって形成する他に、図示してはいないが、集熱用プレートによって構成することができる。この集熱用プレートは、２枚の通路形成用の銅板をこれら両者間に流体通路８が形成されるように重ね合わせ、その周辺部分を溶接によりシールすることによって形成されている。
【００３３】
集熱部材３の表面のうち少なくとも前面には、たとえば特許第３１９４０６４号公報に記載されている「太陽熱吸収体」と同じめっきが施されている。このため、集熱部材３の前面に太陽光が当たることによって、集熱部材３が太陽熱によって昇温される。
【００３４】
前記第１のガラス部材４と第２のガラス部材５とは、前方の全方位からの光を集光可能なレンズ１１を構成するように形成されているとともに、非特許文献２に記載されている真空ガラスと同等の製造過程を経て一つの板ガラスとなるように形成されている。これらの第１のガラス部材４と第２のガラス部材５とは、筐体２の内側と外側とが隔絶されるように、筐体２の前端部にたとえば接着剤によって接着されたり、ゴム系のシール材などによって固着されている。
【００３５】
前記レンズ１１としては、図１に図示したように、断面形状が魚眼レンズと同等の形状のレンズのことをいう。このため、前記レンズ１１としては、魚眼レンズそのものによって形成する他に、図１に示す断面形状で図１の紙面と直交する方向に直線状に延在するような、外観形状がシリンドリカルレンズに似た形状のレンズ（以下、このレンズを単にシリンドリカル状魚眼レンズという）によって形成することができる。
【００３６】
太陽熱集熱器１に用いる前記レンズ１１を魚眼レンズによって構成する場合は、非特許文献３に記載されている魚眼レンズや、一般によく知られた写真カメラ用魚眼レンズ（図２参照）などに用いられているものと同じ形状に形成することが望ましい。すなわち、第１のガラス部材４を、図２に示す写真カメラ用の魚眼レンズ１２において、最も写体側に位置する第１レンズ１３と同じ構成となるように形成し、第２のガラス部材５を、前記第１レンズ１３に隣接する第２レンズ１４と同じ構成となるように形成する。
【００３７】
魚眼レンズとしては、正射影魚眼レンズ、等立体角射影魚眼レンズ、等距離射影魚眼レンズ、立体射影魚眼レンズなどが一般に製造されている。本発明に係る太陽熱集熱器１は、これらの全ての種類の魚眼レンズを用いることができる。
前記第１のガラス部材４と前記第２のガラス部材５とは、これら両者の間に隙間Ｓが形成されるように、マイクロスペーサ１５を介して重ね合わされている。このマイクロスペーサ１５は、非特許文献２に記載されている真空断熱ガラスに用いられているものと同等のものである。図１に示す実施例においては、魚眼レンズの頂部および周縁部にマイクロスペーサ１５が位置付けられている。
【００３８】
第１のガラス部材４と第２のガラス部材５の周囲は、これらのガラス部材４，５を上述したようにマイクロスペーサ１５を介して重ねた状態において、低融点ガラスからなるシール材１６によって気密になるように封止されている。
第１のガラス部材４と第２のガラス部材５とのうち一方には、前記隙間Ｓ内に開口する封止管（図示せず）設けられている。第１のガラス部材４と第２のガラス部材５との間の隙間Ｓ内は、前記封止管から空気が吸引され、真空となるように減圧されている。図１に示す実施例においては、前記隙間Ｓからなる減圧空間によって本発明でいう断熱部１７が構成されている。
【００３９】
このように第１のガラス部材４と第２のガラス部材５との間に断熱部１７が形成されていることにより、集熱部材３の熱が第１、第２のガラス部材４，５（受光面６）から大気中に放散することを防ぐことができる。
【００４０】
断熱部１７としては、図３に示すように、前記隙間Ｓ内にシリカエアロゲル１８を充填することによって構成することができる。シリカエアロゲル１８は、９０％以上の空隙率を有する透明な発泡スチロール状の物質で、樹枝状に凝集した数十ｎｍの微細なシリカ粒子によって構成されている。
このシリカエアロゲル１８によって断熱部１７を構成することにより、前記減圧空間によって断熱部を構成する場合に較べて第１、第２のガラス部材４，５間を減圧する必要がなくなる。
【００４１】
魚眼レンズを使用した太陽熱集熱器１の集光効率（集光特性）は、下記の数式（１）〜（４）によって求めることができる。これらの数式は、非特許文献３に記載されている魚眼レンズの種類別の特性を示す数式に基づくものである。
集光効率は、魚眼レンズを用いる場合と、受光面６が平板状のガラスである場合との両方について求めた。また、魚眼レンズを用いる場合として、正射影魚眼レンズと、等立体角射影魚眼レンズと、前記シリンドリカル状魚眼レンズとの３種類のレンズを用いる場合についてそれぞれ集光効率を求めた。
【００４２】
平面受光の場合（平板状ガラスを用いた場合）：
【数１】
2009264670.tif 000003
【００４３】
正射影魚眼レンズ（y＝fsinφ）受光の場合：
【数２】
2009264670.tif 000004
【００４４】
等立体角射影魚眼レンズ(y＝2fsinφ/2)の場合：
【数３】
2009264670.tif 000005
【００４５】
シリンドリカル状魚眼レンズ受光の場合：
【数４】
2009264670.tif 000006
【００４６】
上記数式（１）〜（４）に記載の記号の意味は次の通りである。
Ｅ : 太陽熱パネル（太陽熱集熱器）の受光エネルギー(Ｗ）
ｄs : 雲下面の微小面積（ｍ2)
ｄＦ: ｄsから入射瞳を臨む立体角内の光束
Ｂ : 雲下面の散乱日射光の一様輝度（Ｗ/ｍ2) 
ａ : 魚眼レンズの入射瞳面積(ｍ2）
Ｄ : 魚眼レンズの口径
ｆ : 魚眼レンズの焦点距離
Ｄ/ｆ : レンズＦ値(無次元数)
φ : 太陽熱パネルから雲下面を臨む天頂角
ｌ : 太陽熱パネルから雲下面までの距離（ｍ）
α : 魚眼レンズの受光可能天頂角
（隣のレンズ凸部によって蹴られる角度を表す）
【００４７】
上記数式（１）〜（４）による計算結果を下記の表１に示す。
【表１】
2009264670.tif 000007
表１に示すように、魚眼レンズによって受光する場合の集光効率は、雲下面からの散乱日射光を平ガラスで受光する場合を１００％とすると１２７％〜１３９％となり、平ガラスを使う場合に較べて効率よく集光できることが分かる。
【００４８】
次に、本発明に係る太陽熱集熱器１の具体的な実施例を図４〜図１１によって詳細に説明する。後述する各実施例に用いる魚眼レンズとしては、上述した正射影魚眼レンズ、等立体角射影魚眼レンズ、等距離射影魚眼レンズ、立体射影魚眼レンズなどのうちいずれか一つを採用することができる。
【００４９】
（第１の実施例）
図４に示す太陽熱集熱器１の第１のガラス部材４と第２のガラス部材５とは、単眼魚眼レンズ２１を構成するように形成されている。
図４において、前記図１〜図３によって説明したものと同一もしくは同等の部材については、同一符号を付し詳細な説明を適宜省略する。
図４に実施例による筐体２は、前方に向けて開口する有底円筒状に形成されている。前記第１のガラス部材４は、筐体２の前端部に支持され、前記第２のガラス部材５は、第１のガラス部材４から後方に離間するように位置付けられており、筐体２における前後方向の中間部分に支持されている。このため、この実施例においては、図１に示したマイクロスペーサ１５は使用していない。
【００５０】
この実施例においては、第１、第２のガラス部材４，５と筐体２とによって囲まれた空間２２が本発明でいう断熱部１７を構成する減圧空間になっている。
この実施例による集熱部材３の前面には、光熱変換シート２３が貼着されている。この光熱変換シート２３は、光が入射することによって発熱するもので、金属製シートにサーメットコーティングを施すことによって形成されたものを使用することができる。この光熱変換シート２３を集熱部材３に貼着することによって、集熱部材３に特許第３１９４０６４号公報に記載されている表面処理を施さなくても効率的に太陽熱を集熱することができるようになる。
【００５１】
この実施例に示す単眼魚眼レンズ２１の場合、その入射瞳面が魚眼レンズ２１の後方の一箇所に位置することになる。このため、前記集熱部材３は、前記入射瞳面を含めてその周囲近傍に水または熱媒が流れるように形成されている。
この実施例に示す太陽熱集熱器１は、図５に示すように、家屋２４の屋根２５上に載置、固定して使用する。
【００５２】
このように単眼魚眼レンズ２１によって受光面６が構成された太陽熱集熱器１によれば、図５に示すように、単眼魚眼レンズ２１が真上を指向するように家屋２４の屋根２５に取付けることによって、散乱日射光を天頂角２π以内で集光することができる。したがって、この実施例によれば、単眼魚眼レンズ２１によって散乱日射光を効率よく集光し、曇天時の集熱量が増大する太陽熱集熱器１を提供することができる。
【００５３】
（第２の実施例）
図６〜図８に示す太陽熱集熱器１の第１のガラス部材４と第２のガラス部材５とには、アレイ（配列）状に並ぶ多数の魚眼レンズ３１，３１…が形成されている。図６〜図８において、前記図１〜図５によって説明したものと同一もしくは同等の部材については、同一符号を付し詳細な説明を適宜省略する。
図６〜図８に示す魚眼レンズ３１は、筐体２の前端部の限られたスペース内に高い密度で配置することができるように、平面視において六方稠密格子状に配置されている。
【００５４】
この実施例による第１、第２のガラス部材４，５は、前記多数の魚眼レンズ３１と、これらの魚眼レンズ３１を支持する平ガラス部分３２（図６参照）とから構成されている。これらの魚眼レンズ３１と平ガラス部分３２とは、この実施例においては一体成型により一体に形成されている。すなわち、この実施例による第１のガラス部材４と第２のガラス部材５とは、それぞれ型ガラス板状のパネルとなるように形成されている。なお、第１、第２のガラス部材４，５を形成する方法は、上述した一体成形に限定されることはなく、図示してはいないが、個々の魚眼レンズを平ガラスの円形穴に挿入して接合させる方法を採ることもできる。
【００５５】
この実施例による第１のガラス部材４と第２のガラス部材５とは、前記２枚の型ガラス板状のパネルを各魚眼レンズ部分の位置が一致するとともに、マイクロスペーサ１５を介して互いに離間するように重ねられている。これらのガラス部材４，５の端縁どうしは、シール材１６によって封止されている。この実施例においても、図１に示した実施例と同様に両ガラス部材４，５どうしの間の隙間Ｓが断熱部１７を構成するように減圧されている。
【００５６】
この実施例による太陽熱集熱器１においては、魚眼レンズ３１の入射瞳面が各魚眼レンズ３１の下方に平面視においてアレイ状に配置されることになる。このため、この実施例による集熱部材３は、前記魚眼レンズ３１毎の入射瞳面を繋ぐような経路を水または熱媒が流れるように形成されている。図７に示す集熱部材３は、集熱用プレート３３によって構成されている。
【００５７】
この集熱用プレート３３は、前側に位置する通路形成用の銅板３３ａと、後側に位置する通路形成用の銅板３３ｂとによって形成されている。これらの銅板３３ａ，３３ｂは、互いに重ねた状態で内部に流体通路８が形成される形状に成形されている。これらの銅板３３ａ，３３ｂは、互いに重ね合わせた状態で周縁部部分を溶接によりシールすることによって、一体化されている。なお、集熱部材３としては、このように集熱用プレート３３によって構成する他に、パイプによって構成することもできる。
【００５８】
この実施例に示すように多数の魚眼レンズ３１をアレイ（配列）状に並べることによっても、図１に示した例と同様に散乱日射光を天頂角２π以内で集光することができる（図７参照）。多数の魚眼レンズ３１のうち、配列の内側に位置する魚眼レンズ３１においては、水平線の近くから魚眼レンズ３１に達する日射光、言い換えれば、図７に示す断面において、水平方向に対して約１５°以下となる方向から魚眼レンズ３１に達するような光は、隣接する魚眼レンズ３１によって蹴られ（遮られ）るために、受光することが難しい。
【００５９】
しかし、この実施例で示した太陽熱集熱器１によれば、図７中に矢印で示したように、散乱日射光が魚眼レンズ３１毎に集光されるから、筐体２内の広い範囲において集熱部材３に太陽熱を吸収させることができる。したがって、この実施例によれば、魚眼レンズによって集光した散乱日射光を効率よく集熱部材３に吸収させることができるから、曇天時の集熱量がより一層増大する太陽熱集熱器１を提供することができる。
【００６０】
この実施例による太陽熱集熱器１の集光効率は、魚眼レンズ３１として正射影魚眼レンズや等立体角射影魚眼レンズを使用することによって、平ガラスを使用する場合を１００％とすると、前記表１に示したように１３９％になる。この結果、この太陽熱集熱器１によれば、散乱日射光を効率よく集光することができる。
【００６１】
（第３の実施例）
図９および図１０に示す太陽熱集熱器１は、複数のシリンドリカル状魚眼レンズ４１を備えている。図９および図１０において、前記図１〜図８よって説明したものと同一もしくは同等の部材については、同一符号を付し詳細な説明を適宜省略する。
前記シリンドリカル状魚眼レンズ４１は、図９に示すように、太陽熱集熱器１の受光面６（前面）と平行な第１の方向から見て断面形状が魚眼レンズ状であって、かつ前記受光面６と平行な方向であって前記第１の方向とは直交する第２の方向（図９の左右方向）から見て直線状に形成されている。
【００６２】
この実施例においては、複数のシリンドリカル状魚眼レンズ４１が第１のガラス部材４と第２のガラス部材５とに前記第２の方向に並べて形成されている。
この実施例においても、第１のガラス部材４と第２のガラス部材５との間の隙間Ｓからなる減圧空間によって本発明でいう断熱部１７が構成されている。
【００６３】
この実施例による複数のシリンドリカル状魚眼レンズ４１の入射瞳面は、各シリンドリカル状魚眼レンズ４１の後方に縞模様状に配置される。このため、この実施例による集熱部材３（集熱用プレート３３）は、前記縞に沿って水または熱媒が流れるように形成されている。
【００６４】
このようにシリンドリカル状魚眼レンズ４１を使用した太陽熱集熱器１の集光効率は、前記表１に示したように、平ガラスを使用する場合を１００％とすると１２７〜１３１％になる。
したがって、この実施例による太陽熱集熱器１においても、散乱日射光を効率よく集光することができる。
【００６５】
（第４の実施例）
本発明に係る太陽熱集熱システムの一実施例を図１１によって詳細に説明する。図１１において、前記図１〜図１０によって説明したものと同一もしくは同等の部材については、同一符号を付し詳細な説明を適宜省略する。
【００６６】
図１１に示す太陽熱集熱システム５１は、前記図６〜図８に示した太陽熱集熱器１、すなわちアレイ状に並ぶ多数の魚眼レンズ３１を備えた太陽熱集熱器１と、この太陽熱集熱器１によって加熱された湯を貯留するための貯湯槽５２と、この貯湯槽５２から湯を取り出すための出湯管５３に設けられた補助熱源５４と、前記貯湯槽５２に放熱用ポンプ５５を介して接続された放熱器５６（ラジエータ）と、前記放熱用ポンプ５５に給電するための太陽電池５７と、前記放熱用ポンプ５５の動作を制御するための制御装置５８などによって構成されている。
【００６７】
前記太陽熱集熱器１と太陽電池５７とは、住宅（図示せず）の屋根上に設置され、貯湯槽５２や放熱器５６および放熱用ポンプ５５は地上に設置される。
この実施例による太陽熱集熱システム５１は、図示していない循環用ポンプによって貯湯槽５２と太陽熱集熱器１との間で水を循環させ、温度が相対的に低い水を貯湯槽５２から太陽熱集熱器１に供給し、太陽熱集熱器１によって加熱された湯を貯湯槽５２に戻す構成が採られている。貯湯槽５２に貯留された湯は、浴槽５９に送られたり、その他の給湯設備（図示せず）に送られる。前記補助熱源５４は、冬期などで湯温が上昇しないときに湯を加熱するためのものである。
【００６８】
前記放熱器５６は、貯湯槽５２内の湯を冷却するためのもので、放熱用ポンプ５５の作動により貯湯槽５２内の湯が流入し、この湯の温度を大気中への放熱により低下させる。この湯は、放熱器５６によって冷却された後に貯湯槽５２に戻される。
前記制御装置５８は、前記貯湯槽５２内の湯の温度が所定温度を上回ったときに前記放熱用ポンプ５５を作動させて湯を貯湯槽５２と前記放熱器５６との間で循環させる。また、この制御装置５８は、前記太陽電池５７から供給される電力によって放熱用ポンプ５５を作動させる。
【００６９】
このように構成された太陽熱集熱システム５１によれば、夏期などで太陽からの直達日射光が強く、貯湯槽５２内の湯の温度が所定の温度を越えて過度に上昇した場合、制御装置が太陽電池５７からの電力によって放熱用ポンプ５５を作動させる。放熱用ポンプ５５が作動することにより、貯湯槽５２内の湯が放熱器５６と貯湯槽５２との間で循環し、湯の温度が低下する。制御装置５８は、湯の温度が所定の冷却終了温度に達したときに放熱用ポンプ５５を停止させる。
【００７０】
このため、入浴等の給湯に必要となる以上の熱については、放熱器５６の周辺の大気中に放散させることができる。したがって、冬期の曇天日にも十分な集熱量が得られる太陽熱集熱器１を使用しているもかかわらず、夏期などで集熱量が過度に多くなったとしても湯温の過度の上昇を防止し、湯温を所定の温度に保つことができる。
【００７１】
この結果、夏期の過剰な熱によって太陽熱集熱器１や貯湯槽５２などが故障したり破損することがない太陽熱集熱システム５１を提供することができる。
放熱器５６によって熱を大気中に放散させるに当たって消費したエネルギー、熱量については、本来太陽熱であり、コストを伴うものではなく、かつ元来住宅周辺に降り注いだ太陽熱が経路を変えて大気中に戻るだけであるから、大気が汚染されることはなく、地球環境にとって問題を起こすようなものではない。
【００７２】
本発明に係る太陽熱集熱装置の効果について、図１２に示すモデルによってシミュレーション計算を行った。図１２は、太陽熱集熱器１、貯湯槽５２およびこれら両者間で水または熱媒を送水するための配管６０とからなる最も単純な構成の太陽熱集熱装置のモデルである。
【００７３】
このシミュレーションにおいては、太陽熱集熱器１の上面（面積ＳL、厚さτL、熱伝導率ＣL）から太陽エネルギーＥin＝ＷＳLを受光（受熱）し、貯湯槽５２内の水（質量ｍ、比熱ｃ）が昇温Δθするものとする。また、この間に太陽熱集熱器１の表面、裏面ならびに貯湯槽５２表面、送水配管６０の表面（合計面積ＳT、厚さτT、熱伝導率ＣT） から外気温との温度差Δθによって放熱するものとした。
このシミュレーションは、下記の数式（５）によって実施した。
【００７４】
【数５】
2009264670.tif 000008
【００７５】
図１２と数式（５）中に記載した記号の意味は下記の通りである。
ＳL：太陽熱集熱器の太陽光受光面面積（ｍ2）
ＣL：太陽熱集熱器の熱伝導率（Ｗ／ｍＫ）
τL：太陽熱集熱器の断熱材厚さ（ｍ）
ＳT：太陽熱集熱器裏面＋送水配管表面積＋貯湯槽表面積（ｍ2）
ＣT：断熱材の熱伝導率（Ｗ／ｍＫ）
τT：断熱材厚さ（ｍ）
Ｅin：ＳLに入射する散乱日射光（Ｗ）
Ｅout：ＳL＋ＳTからの放熱量（Ｗ）
ｍ：貯湯槽の水の質量（ｋｇ）
Ｃ：水の比熱＝0.00117（Ｗｈ／ｇＫ）
Ｗ：散乱日射強度（Ｗ／ｍ2ｓ）
Δθ：昇温量（℃、Ｋ）
【００７６】
正射影魚眼レンズを用いた場合の上記シミュレーションの計算結果を図１３に示す。計算条件は、冬期曇天日を想定し、平均散乱日射量１００Ｗ／ｍ2 秒の光が午前８時から午後４時まで約８時間得られた場合について示してある。太陽熱集熱器１の受光面６の面積は１３ｍ2 、貯湯槽５２の容量は３５０Ｌとした。貯湯槽５２や、太陽熱集熱器１の裏面・側面や、太陽熱集熱器１と貯湯槽５２との間の配管６０などには、真空断熱材７｛熱伝導率0.0025Ｗ／ｍＫ＝熱貫流率0.25Ｗ／ｍ2Ｋ（厚さ１０ｍｍ）｝などが利用できると考えられるために、この真空断熱材７の数値を用いた。
【００７７】
図１３においては、魚眼レンズを用いた場合の昇温量の変化を実線で示し、魚眼レンズの代わりに平面ガラスを用いた場合の昇温量の変化を破線で示す。
図１３に示したように、平面ガラスでは断熱性能が十分（断熱材の熱貫流率が０Ｗ／ｍ2 Ｋに近い場合）であっても２５℃程度の昇温しか得られないが、魚眼レンズによって１３９％の集光量を得ることができれば、３５℃を越えて昇温させることができる。
また、一枚ガラスによる熱貫流率が３０Ｗ／ｍ2 Ｋの場合には、魚眼レンズで集光したとしても２０℃程度の昇温であるが、本発明の真空断熱層を有する太陽熱集熱器１によれば、３３℃程度に昇温させることができる。
【００７８】
ところで、冬の曇天日に合わせてシステム設計を行うと、夏期には過剰な熱が収集され、利用できずに問題になる。しかし、この点については、上記第４の実施例で示したように、太陽電池５７の電力で動作するポンプ５５を用いて放熱器５６に湯を循環させ、湯の熱を大気中に放散させることによって簡単に解決することができる。このような余剰の熱は、吸収式冷凍機やデシカント空調用の熱源として利用することができる。
【産業上の利用可能性】
【００７９】
本願発明に記載の太陽熱集熱器１は、太陽熱集熱装置、太陽熱利用給湯器に利用できる。日本国内の太陽熱集熱面積は、７７０万ｍ2 ２００５年）、世界の太陽熱集熱面積は、１３９００万ｍ2 （２００５年）に達しているが、本願発明のような自然エネルギーである太陽エネルギーを利用する技術は、今後も温暖化対策、地球環境問題対策等々として積極的に利用されていくものと考えられる。
【００８０】
太陽熱集熱装置については、これまでは、夏の集熱量が過分にならないように設計製作されてきた傾向があるが、今後は、冬期の化石燃料等の消費をより積極的に抑制することを考えて、集熱面積の増加が進められるものと思われる。その中で、経済性の観点から単に集熱面積（パネル面積）を増やすのみでなく、散乱日射光を集めることができる本願発明に記載の集熱方法も積極的に利用することが望ましいものと考えられる。
【図面の簡単な説明】
【００８１】
【図１】本発明に係る太陽熱集熱器の主要部の構成を示す断面図である。
【図２】写真カメラ用の魚眼レンズの構成を示す断面図である。
【図３】断熱部の他の実施例を示す断面図である。
【図４】単眼魚眼レンズを用いた太陽熱集熱器の構成を示す断面図である。
【図５】単眼魚眼レンズを有する太陽熱集熱器を屋根上に設置した状態を示す斜視図である。
【図６】配列状に並ぶ多数の魚眼レンズを有する太陽熱集熱器の平面図である。
【図７】配列状に並ぶ多数の魚眼レンズを有する太陽熱集熱器の構成を示す断面図である。
【図８】配列状に並ぶ多数の魚眼レンズを有する太陽熱集熱器の構成を示す斜視図である。
【図９】シリンドリカル状魚眼レンズを備えた太陽熱集熱器の構成を示す断面図である。
【図１０】シリンドリカル状魚眼レンズを備えた太陽熱集熱器の構成を示す斜視図である。
【図１１】本発明に係る太陽熱集熱システムの構成を示す斜視図である。
【図１２】本発明に係る太陽熱集熱器の動作をシミュレーションするためのモデルを示す図である。
【図１３】本発明に係る太陽熱集熱器の動作シミュレーションの結果を示すグラフである。
【符号の説明】
【００８２】
１…太陽熱集熱器、２…筐体、３…集熱部材、４…第１のガラス部材、５…第２のガラス部材、７…真空断熱材、１５…マイクロスペーサ、１８…シリカエアロゲル、２１，３１…魚眼レンズ  ５２…貯湯槽、５６…放熱器、Ｓ…隙間。  
【図１】
2009264670.tif 000009
【図２】
2009264670.tif 000010
【図３】
2009264670.tif 000011
【図４】
2009264670.tif 000012
【図５】
2009264670.tif 000013
【図６】
2009264670.tif 000014
【図７】
2009264670.tif 000015
【図８】
2009264670.tif 000016
【図９】
2009264670.tif 000017
【図１０】
2009264670.tif 000018
【図１１】
2009264670.tif 000019
【図１２】
2009264670.tif 000020
【図１３】
2009264670.tif 000021